【事件の表示】
　特許第３０１９３２４号「アナログ電子時計用ＩＣ及びアナログ電子時計」の請求項１ないし５に係る特許に対する特許異議の申立てについて、次のとおり決定する。
【結　論】
　訂正を認める。
　特許第３０１９３２４号の請求項１ないし４に係る特許を維持する。
【理　由】
第１　手続の経緯
　特許第３０１９３２４号についての出願は、特願昭６３−１５０８７３号（昭和６３年６月１７日出願）による優先権を主張して平成１年６月１３日に特許出願され、平成１２年１月７日に特許権の設定登録がされ、同年３月１３日にその特許掲載公報が発行されたところ、同年９月１３日にその請求項１ないし５（訂正前）に係る特許に対してシチズン時計株式会社より特許異議の申立てがされたものであり、当審において平成１４年６月２８日付けで取消理由を通知（同年７月９日発送）したところ、同年９月９日に訂正請求書及び特許異議意見書が提出されたものである。
　
第２　訂正について
　１　訂正の内容
　（１）訂正事項１
　特許時の特許請求の範囲の
「【請求項１】少なくともコアＣＰＵ、前記コアＣＰＵを作動させるためソフトウエアを格納するプログラムメモリ、前記ソフトウエアの指令に基づき複数のステップモータの各々の駆動制御信号を出力するモータ運針制御回路、及び、前記モータ運針制御回路から出力される各ステップモータの駆動制御信号を受けて前記各ステップモータを駆動する複数のモータドライバー回路とを有することを特徴とするアナログ電子時計用ＩＣ。
 【請求項２】前記モータ運針制御回路が、各ステップモータの運針パルス数を制御するための複数のモータクロック制御回路を有することを特徴とする請求項１記載のアナログ電子時計用ＩＣ。
 【請求項３】前記モータ運針制御回路が、各ステップモータの運針のトリガーとなる運針基準用クロックを形成する運針基準信号形成回路を有し、前記運針基準信号形成回路はソフトウエアの指令に基づき前記運針基準用クロックの周波数を選択できるように構成されていることを特徴とする請求項１または請求項２記載のアナログ電子時計用ＩＣ。
 【請求項４】前記モータ運針制御回路が、異なる波形のモータ駆動パルスを出力する複数の駆動パルス形成回路と、ソフトウエアの指令に基づき各ステップモータがいずれの駆動パルスを選択するかを決定するモータ運針方式制御回路を有することを特徴とする請求項１または請求項２または請求項３記載のアナログ電子時計用ＩＣ。
 【請求項５】請求項１または請求項２または請求項３または請求項４記載のアナログ電子時計用ＩＣ、複数のステップモータ、及び前記複数のステップモータに連結される複数の輪列機構を有することを特徴とするアナログ電子時計。」
を
「【請求項１】少なくともコアＣＰＵ、前記コアＣＰＵを作動させるためソフトウエアを格納するプログラムメモリ、前記ソフトウエアの指令に基づき複数のステップモータの各々の駆動制御信号を出力するモータ運針制御回路、及び、前記モータ運針制御回路から出力される各ステップモータの駆動制御信号を受けて前記各ステップモータを駆動する複数のモータドライバー回路とを有し、前記モータ運針制御回路が、異なる波形のモータ駆動パルスを出力する複数の駆動パルス形成回路と、ソフトウエアの指令に基づき各ステップモータがいずれのモータ駆動パルスを選択するかを決定するモータ運針方式制御回路と、前記決定する際に前記モータ運針方式制御回路の出力に基づき前記複数の駆動パルス形成回路から出力される複数のモータ駆動パルスの中から各ステップモータに必要なモータ駆動パルスを選択して各モータドライバー回路に出力する複数のモータ駆動パルス選択回路とを有することを特徴とするアナログ電子時計用ＩＣ。
 【請求項２】前記モータ運針制御回路が、各ステップモータの運針パルス数を制御するための複数のモータクロック制御回路を有することを特徴とする請求項１記載のアナログ電子時計用ＩＣ。
 【請求項３】前記モータ運針制御回路が、各ステップモータの運針のトリガーとなる運針基準用クロックを形成する運針基準信号形成回路を有し、前記運針基準信号形成回路はソフトウエアの指令に基づき前記運針基準用クロックの周波数を選択できるように構成されていることを特徴とする請求項１または請求項２記載のアナログ電子時計用ＩＣ。
 【請求項４】請求項１または請求項２または請求項３記載のアナログ電子時計用ＩＣ、複数のステップモータ、及び前記複数のステップモータに連結される複数の輪列機構を有することを特徴とするアナログ電子時計。」
と訂正する。
　（２）訂正事項２
　本件明細書６頁８行ないし１３行（本件特許掲載公報（以下「本件公報」という。）３欄４４行ないし４欄１行）の「本発明のアナログ電子時計用ＩＣは、少なくともコアＣＰＵ、前記コアＣＰＵを作動させるためソウトウエアを格納するプログラムメモリ、前記ソウトウエアの指令に基づき複数のステップモータの各々の駆動制御信号を出力するモータ運針制御回路、及び、前記モータ運針制御回路から出力される各ステップモータの駆動制御信号を受けて前記各ステップモータを駆動する複数のモータドライバー回路とを有することを特徴とする。」を「本発明のアナログ電子時計用ＩＣは、少なくともコアＣＰＵ、前記コアＣＰＵを作動させるためソウトウエアを格納するプログラムメモリ、前記ソウトウエアの指令に基づき複数のステップモータの各々の駆動制御信号を出力するモータ運針制御回路、及び、前記モータ運針制御回路から出力される各ステップモータの駆動制御信号を受けて前記各ステップモータを駆動する複数のモータドライバー回路とを有し、前記モータ運針制御回路が、異なる波形のモータ駆動パルスを出力する複数の駆動パルス形成回路と、ソフトウエアの指令に基づき各ステップモータがいずれのモータ駆動パルスを選択するかを決定するモータ運針方式制御回路と、前記決定する際に前記モータ運針方式制御回路の出力に基づき前記複数の駆動パルス形成回路から出力される複数のモータ駆動パルスの中から各ステップモータに必要なモータ駆動パルスを選択して各モータドライバー回路に出力する複数のモータ駆動パルス選択回路とを有することを特徴とする。」と訂正する。
　また、本件明細書７頁３行ないし８行（本件公報４欄１０行ないし１４行）の「また前記モータ運針制御回路が、異なる波形のモータ駆動パルスを出力する複数の駆動パルス形成回路と、ソフトウエアの指令に基づき各ステップモータがいずれの駆動パルスを選択するかを決定するモータ運針方式制御回路を有していても良い。」を削除する。
　
　２　訂正の目的、新規事項の有無及び拡張・変更の存否について
　訂正事項１は、訂正前の請求項４を請求項１に組み入れ、更に「モータ運針制御回路」が「前記決定する際に前記モータ運針方式制御回路の出力に基づき前記複数の駆動パルス形成回路から出力される複数のモータ駆動パルスの中から各ステップモータに必要なモータ駆動パルスを選択して各モータドライバー回路に出力する複数のモータ駆動パルス選択回路」をも有するように限定し、これに伴って訂正前の請求項５を「請求項４」に繰り上げるものであり、特許請求の範囲の減縮を目的とするものである。
　「モータ運針制御回路」が「前記決定する際に前記モータ運針方式制御回路の出力に基づき前記複数の駆動パルス形成回路から出力される複数のモータ駆動パルスの中から各ステップモータに必要なモータ駆動パルスを選択して各モータドライバー回路に出力する複数のモータ駆動パルス選択回路」をも有する点は、本件明細書１４頁１０行ないし１５頁１行（本件公報６欄１４行ないし２３行）、本件明細書１６頁１６行ないし１７頁１３行（本件公報７欄１行ないし１３行）、本件明細書２０頁１３行ないし１９行（本件公報８欄１０行ないし１９行）及び第３図に記載されていたものであるから、訂正事項１は、願書に添付した明細書又は図面に記載した事項の範囲内の訂正である。
　そして、訂正事項１は、実質上特許請求の範囲を拡張し、又は変更するものでもない。
　訂正事項２は、特許請求の範囲の記載と発明の詳細な説明の記載との整合をとるためのものであり、明りょうでない記載の釈明を目的とするものである。
　そして、訂正事項２は、願書に添付した明細書又は図面に記載した事項の範囲内の訂正であり、実質上特許請求の範囲を拡張し、又は変更するものでもない。
　したがって、上記訂正は平成６年法律第１１６号附則６条１項の規定によりなお従前の例によるとされる、特許法１２０条の４、３項において準用する平成６年法律第１１６号による改正前の特許法１２６条１項ただし書、２項及び３項の規定に適合するので、これを認める。
　
第３　特許異議の申立てについて
　１　特許異議の申立ての理由の要点
　（１）本件請求項１ないし５（訂正前）に係る発明は、特許第２７５５３８６号公報（甲第１号証）に係る出願の願書に最初に添付した明細書又は図面（以下「先願明細書等」という。）に記載された発明と同一であるから、特許法２９条の２の規定により特許を受けることができない。
　（２）本件請求項１ないし５（訂正前）に係る発明は、特開昭６０−２３６０８３号公報（甲第３号証）、特開昭５４−１５１０７１号公報（甲第４号証）、特開昭６２−２９９７８５号公報（甲第５号証）、特開昭５１−３８６６２号公報（甲第６号証）、特開昭５７−１４２５８３号公報（甲第７号証）、特開昭５５−４８６８２号公報（甲第８号証）及び特開昭５５−４８６８１号公報（甲第９号証）に記載された発明に基づいて当業者が容易に発明をすることができたものであるから、特許法２９条２項の規定により特許を受けることができない。
　
　２　本件請求項に係る発明
　本件特許の請求項１ないし４に係る発明（以下「本件発明１」ないし「本件発明４」という。）は、上記訂正請求に係る訂正明細書の特許請求の範囲の請求項１ないし４に記載されたとおりのものである。
　
　３　先願明細書等及び甲第３号証ないし甲第９号証に記載された発明
　（１）先願明細書等に記載された発明
　先願明細書には、図面とともに、「［産業上の利用分野］本発明は、複数の正転方向及び逆転方向いずれにも駆動可能な、いわゆる可逆転型ステップモータによって駆動される複数の指針により構成された指針式電子時計に関するものである。」（２頁１行ないし５行）、「本発明の目的は、・・・低コストで且つ短期間に多様化した商品の開発が可能な汎用性のある指針式電子時計を提供するものである。」（２頁１５行ないし３頁３行）、「第１図は、本発明の指針式電子時計の全体ブロック図である。本実施例の指針式電子時計は、情報発生回路として・・・いわゆるワンチップマイクロコンピュータ（以下マイコンと略す）９を、また変換機制御用回路として、・・・モータ駆動用ＩＣ１７を利用しており、前記マイコン９は発振回路１０、ＣＰＶ（当審注　「ＣＰＵ」の誤記と認める。）１１、・・・ＲＯＭ１２、ＲＡＭ１３、インプットポート（以下Ｉポートと略す）１４、アウトプットポート（以下Ｏポートと略す）１５により構成され、・・・接続されている。そして、前記マイコン９のＲＯＭ１２内の指針式電子時計を動かすためのプログラムがバスライン１６を介してＯポート１５を制御し該Ｏポート１５は、前記モータ駆動用ＩＣ１７とバスラインを介して接続されておりマイコン９は、・・・モータ駆動パルス数指定制御・・・の各制御をモータ駆動用ＩＣ１７に対して行う。・・・モータ駆動用ＩＣ１７は、クロック信号回路１８、分周回路１９、波形成形回路２０、ステータス出力回路２１、モータ制御回路２２、Ａモータ駆動回路２３、・・・、Ｄモータ駆動回路２６より構成される。クロック信号回路１８は、前記マイコン１９内の発振回路１０からの発振信号Ｐ１０に同期した基準信号Ｐ１８を発生し、分周回路１９は前記クロック信号回路１８からの基準信号Ｐ１８を入力とする複数段の分周器より成り分周信号群Ｐ１９を出力し、波形成形回路２０は前記分周回路１９からの分周信号群Ｐ１９を入力とし、・・・Ａ正転早駆動信号Ｐｓｈａと・・・Ａ正転遅駆動信号Ｐｓｏａと・・・Ａ逆転早駆動信号Ｐｇｈａと・・・Ａ逆転遅駆動信号Ｐｇｏａを含むＡ駆動信号群Ｐ２０ａと、・・・Ｄ駆動信号群Ｐ２０ｄを出力する。」（５頁１６行ないし８頁１３行）、「前記モータ制御回路２２は、モータ選択回路２２ａ、モータ駆動周波数指定回路２２ｂ、モータ回転方向指定回路２２ｃ、モータ駆動パルス数指定回路２２ｄ、読込信号振分回路２２より構成され、入力端子・・・を有する。」（１０頁２行ないし７行）、「前記モータ駆動周波数指定回路２２ｂは、ＤＦ３６により構成されている。スピード指定信号Ｐｓを出力するＤＦ３６のＤ入力は入力端子Ｃ０よりデータ信号Ｄ０を入力し、φ入力はアンド回路Ａ１からのコントロール信号Ｃｔ１を入力し、該コントロール信号Ｃｔ１の立上りで１ワード目のデータ信号Ｄ０を読込む。ＤＦ３６のＱ出力が“Ｌ”レベルの時“遅”を指定し、“Ｈ”レベルの時“早”を指定する。前記モータ回転方向指定回路２２ｃは、ＤＦ３７により構成されている。正逆指定信号Ｐｋを出力するＤＦ３７のＤ入力は入力端子Ｃ１よりデータ信号Ｄ１を入力し、φ入力はアンド回路Ａ１からのコントロール信号Ｃｔ１の立上りで１ワード目のデータ信号Ｄ��を読込む。ＤＦ３７のＱ出力が“Ｌ”レベルの時“正転”を指定し、Ｑ出力が“Ｈ”レベルの時“逆転”を指定する。前記モータ駆動パルス数指定回路２２ｄは、ＤＦ３８、ＤＦ３９、ＤＦ４０、ＤＦ４１より構成されている。ＤＦ３８〜ＤＦ４１の各Ｄ入力には、入力端子Ｃ０〜Ｃ３よりデータ信号Ｄ０〜Ｄ３が入力され、・・・Ｄ０〜Ｄ３を読込む。・・・これらの１、２、４、８の組合せにより、１から１５までの駆動数の指定ができる。」（１４頁７行ないし１５頁１８行）、「前記Ａモータ駆動回路２３は、Ａ制御回路２３ａ、Ａ計数回路２３ｂ、Ａ負荷補償回路２３ｃ、Ａ駆動選択制御回路２３ｄ、Ａ駆動回路２３ｅより構成される。」（１６頁２行ないし５行）、「本発明によればマイコンとモータ駆動用ＩＣを各々独立したＣ−ＭＯＳ集積回路内に設け、マイコンの書き換え可能な情報内容により制御され、且つ複数のモータを制御するモータ駆動用ＩＣ内にモータ選択回路とモータ駆動周波数指定回路とモータ駆動パルス数指定回路を設けたことにより、低コストで且つ短期間に多様化した商品の開発を可能としている。」（３１頁１６行ないし３２頁４行）との記載がされている。
　（２）甲第３号証に記載された発明
　甲第３号証には、図面とともに、「本発明は、通常時刻を表示する部材と、通常時刻以外の複数の時刻機能とを表示する部材からなり、通常時刻以外の時刻表示部材は複数の表示針を有しており、これらの表示針はそれぞれ独立した駆動機構によって駆動されると共に、複数の外部操作部材の単独又は組合せ操作に対応して複数機能を選択的に切換え表示することを特徴としたアナログ多機能時計に関するものである。」（２頁左上欄１１行ないし１８行）、「第２図は実施例のシステムを示すブロック図である。本実施例のシステムは、ＣＭＯＳ−ＬＳＩ２０１、腕時計用酸化銀電池２０２、超小型水晶振動子２０３、ブザー駆動用トランジスタ２０４、圧電ブザー２０５、昇圧コイル２０６、ステップモータ２０７〜２０９、輪列２１０〜２１２、規正・修正機構２１３、時刻表示部１０６、カレンダー表示部１０９、付加機能表示用分針１０７、付加機能表示用時針１０８、外部操作部材１０１〜１０５より構成されている。」（２頁左下欄４行ないし１３行）、「第４図〜第８図は第２図のＣＭＯＳ−ＩＣ２０１の具体的構成例である。第４図（Ａ）はスイッチ制御部のブロック図である。」（３頁左下欄３行ないし６行）、「第５図は発振、分周、時刻表示用ステップモータ駆動部のブロック図である。・・・第６図（Ａ）は分針１０７の運針制御部のブロック図であり、・・・一致検出回路６０６及び６１５、“１”検出回路６１３、分針駆動制御回路６１６、モータ駆動パルス形成回路６１７・・・より構成してある。・・・第６図の構成により、分針１０７は・・・選択したモードの分桁表示を行う。第７図は時針１０８の運針制御部のブロック図であり、・・・一致検出回路７０６及び７０７、時針駆動制御回路７１２、モータ駆動パルス形成回路７１３・・・によって構成してある。・・・第７図の構成により、時針１０８は・・・選択したモードの時桁表示を行う。」（４頁左上欄１３行ないし６頁右下欄１９行）、「本発明によるアナログ多機能時計は、・・・表示の切替が非常にスピーディーに行なわれるとともに、各機能の表示が分の桁まで正確に読み取ることができるという優れた効果を有するものである。更には、・・・今、何の機能が表示されているのかがすぐ判るという利点もある。」（７頁右上欄１３行ないし左下欄１行）との記載がされている。
　（３）甲第４号証に記載された発明
　甲第４号証には、図面とともに、「本発明による電子時計回路は種々の使用ケースに役立たせることができる。この時計回路を用いてたとえば時打時計もしくは目ざまし時計を構成することができ、その場合音信号列の様式はプログラミング可能である。さらに、データ処理装置が設けられる場合には、特定の日付けの日には特別な音信号列を発生させるようにすることもできる。」（２頁右下欄１５行ないし３頁左上欄２行）、「第３図は第１図および第２図に示した実施例の原理を示すものである。・・・入力は・・・キーボード４０によって与えられる。さらに、パルス列のトリガは、・・・ＲＡＭ記憶装置内に形成され機能記憶装置およびデータ・ロガを同時に兼ねるタイミング・レジスタによって行なわれる。・・・因に、第３図にはマイクロコンピュータの機能ユニットが図示されている。その際に、この第３図においては、クロックゼネレータ４３およびシステムコントローラ４４を有する中央処理装置（ＣＰＵ）４２、ならびにＲＯＭデータフローコントローラ４５が重要である。さらに、メロディー選択に使われる音響周波数・音の長さコントローラ用ＲＯＭ記憶装置４６が設けられている。」（４頁左上欄７行ないし右上欄４行）、「因に、実際の時刻と時計によって表示される時刻との同期化もキーボードによつて行なわれる。・・・時計回路は日付けも表示することができるように設計することもできる。」（４頁右上欄１５行ないし２０行）との記載がされている。
　（４）甲第５号証に記載された発明
　甲第５号証には、図面とともに、「本発明は、現在の時刻及びアラーム設定時刻等の時刻情報を時・分・秒と他の一本の指針により表示する針式電子時計において、外部からのスイッチ入力により表示情報を切換える場合・・・正転早送りで駆動するか逆転早送りで駆動するかを自動的に判別する手段に関する。・・・本願発明は、少なくとも２つ以上の異なる時刻情報を時・分・秒と他の一本の指針で表示する針式電子時計において、同時に２つの時刻情報を表示することができない為外部からのスイッチ操作により表示する時刻情報を切換える（モードチェンジ）という行為が必要となる時計において、モードチェンジする場合現在表示している時刻と次に表示しようとする行き先の時刻とを演算し、その時刻まで駆動するのに正転早送り駆動か逆転早送り駆動かを自動判別し、時刻情報の変更に要する時間を最小にし、駆動に必要な消費電力を少なくする手段を提供するものである。」（１頁右下欄１行ないし２０行）、「上記のようにモードチェンジを行う際に、次に表示しようとする時刻へ正転早送り駆動するか逆転早送り駆動するかを自動的に判別して駆動することにより、次に表示しようとする時刻をすばやく読み取ったり、動作させたりすることができる。」（２頁右上欄９行ないし１３行）、「データの内容を比較・演算する手段１７により、指針を動かす必要があるのか否かを判別し、動かす必要があれば正転か逆転か、何パルス数出力するのかを比較・演算する手段１７よりバスライン２１を介して、正転波形を形成する手段１８及び逆転波形を形成する手段１９に送り出す。」（３頁左上欄１５行ないし右上欄１行）、「又、本実施例では、正転駆動周期が逆転駆動周期の２倍を前提に記述したが、この周期の差が変化すれば、正転か逆転かの判断データが変化するのは容易に可能である。」（４頁右上欄４行ないし７行）との記載がされている。
　（５）甲第６号証に記載された発明
　甲第６号証には、図面とともに、「本発明は時計用多用途ＩＣに関する。従来時計用のＩＣは時計が異なると使用するＩＣも異り、時計の種類が増えると同時にＩＣの種類も増えるため、繁雑であり、取扱い、検査、組立に多大のデメリットがあった。本発明は上記欠点を無くし、一種類のＩＣを多用途に使えるためその経済効果は、極めて大きい。・・・第１図は本発明になる多用途ＩＣの一実施例を示した図である。図中、１は水晶振動子、２は発振回路、３は１／２分周器、４は選択回路、５は分周器群・・・６は分周器群・・・７も同様分周器群・・・８は波形成形及び選択回路であり、９は出力部であり、端子１０−ａ、１０−ｂを有し、・・・１１は制御ブロックである選択制御部であり、・・・１２−ａ・・・１２−ｄは外部リードに接続される制御部入力端子で・・・１３はリセット端子である。」（１頁左下欄１５行ないし２頁左上欄２行）との記載がされている。
　（６）甲第７号証に記載された発明
　甲第７号証には、図面とともに、「本発明はアラーム、時報、現時刻報知等の時間に関する情報を音声にて報知する手段を備えてなるアラーム付電子時計に関するものである。」（１頁左下欄１２行ないし１４行）、「本発明は、・・・各国の言語で又は異なる内容で記憶した音声データＲＯＭカートリッジを準備し、これを着脱自在に装備することにより、同一のシステムコントローラにて任意の言語で又は異なる内容で時報、アラームコメント等を発生し得るようにしたものである。」（２頁左上欄１４行ないし２０行）との記載がされている。
　（７）甲第８号証に記載された発明
　甲第８号証には、図面とともに、「（１）アナログ電子時計のステップモータの負荷の状態を、ステップモータに供給するパルス幅として測定するものにおいて、駆動パルス幅および補正駆動パルスを用いてステップモータを制御すると共に、駆動パルスの駆動周波数を任意に設定することにより測定時間を可変設定することができる構成よりなる電子時計測定装置。」（特許請求の範囲）、「更に、本発明に於ける装置では測定時間をできるだけ短縮させるために早送り機構を具備している。・・・これらの操作はあらかじめ設置された押ボタンスイッチにより容易に変更が可能で、１Ｈｚ・・・６４Ｈｚの早送り周波数が設定されている。・・・補正駆動を行なう時は３２Ｈｚ駆動となる。」（３頁左上欄１９行ないし左下欄５行）、「第１０図は本実施例の構成概略図である。３００は・・・複雑な動作を行う回路であり、我々はこれを、ストアドプログラム方式のマイクロコンピュータで実現した。・・・駆動パルスのパルス幅及びタイミングは制御回路３００から与えられ、回転検出信号は制御回路３００に入力される。・・・表示装置３０６は、・・・ペンレコーダ等に記録するための装置である。」（５頁左下欄２０行ないし右上欄１８行）との記載がされている。
　（８）甲第９号証に記載された発明
　甲第９号証には、図面とともに、「（１）アナログ電子時計のステップモータの負荷の状態を、ステップモータに供給するパルス幅として測定するものにおいて、駆動パルスおよび補正駆動パルスを用いてステップモータを制御すると共に、前記駆動パルスの必要パルス幅をプリセットした構成よりなる電子時計測定装置。」（特許請求の範囲）、「本実施例では、駆動パルス幅として、σ０＝２４ｍｓｅｃ、・・・σ３＝３．９ｍｓｅｃのいずれかで駆動する。・・・回転、非回転の検出は、・・・自動的に判定され、自動的に最低駆動パルスをさがし出す。」（２頁左下欄１２行ないし１９行）、「本発明で特徴的なことは、・・・ロータの回転、非回転を判断する機構を持っていることである。」（３頁右上欄１８行ないし左下欄１行）、「第１０図は本実施例の構成概略図である。３００は・・・複雑な動作を行う回路であり、我々はこれを、ストアドプログラム方式のマイクロコンピュータで実現した。・・・駆動パルスのパルス幅及びタイミングは制御回路３００から与えられ、回転検出信号は制御回路３００に入力される。・・・表示装置３０６は、・・・ペンレコーダ等に記録するための装置である。」（５頁右上欄２行ないし左下欄１行）との記載がされている。
　
　４　対比・判断
　（１）特許法２９条の２について
　本件発明１と先願明細書等に記載された発明とを対比すると、先願明細書等に記載された発明は本件発明１の構成要件である「モータ運針制御回路が、異なる波形のモータ駆動パルスを出力する複数の駆動パルス形成回路と、ソフトウエアの指令に基づき各ステップモータがいずれのモータ駆動パルスを選択するかを決定するモータ運針方式制御回路と、前記決定する際に前記モータ運針方式制御回路の出力に基づき前記複数の駆動パルス形成回路から出力される複数のモータ駆動パルスの中から各ステップモータに必要なモータ駆動パルスを選択して各モータドライバー回路に出力する複数のモータ駆動パルス選択回路とを有する」点を備えていない。
　特許異議申立人は、本件発明１と先願明細書等記載の発明とについて、両者が個別的な回路構成において異なっていることを認めている。特許異議申立人は、また、目的、機能及び作用効果が同一であると主張するが、回路構成が異なる以上、機能及び作用効果が同一であるということはできない。本件発明１は、上記の点を備えることにより本件明細書記載の作用、効果を奏するものということができ、本件発明１が先願明細書等に記載された発明と同一であるということはできない。
　本件発明２ないし４は、直接又は間接に本件発明１を引用する発明であるから、本件発明１と同様に、いずれも先願明細書等に記載された発明と同一であるということはできない。
　したがって、本件発明１ないし４についての特許が特許法２９条の２の規定に違反してされたものであるということはできない。
　（２）特許法２９条２項について
　本件発明１と甲第３号証ないし甲第９号証に記載された発明とを対比すると、甲第３号証ないし甲第９号証に記載された発明はいずれも本件発明１の構成要件である上記の「モータ運針制御回路が、異なる波形のモータ駆動パルスを出力する複数の駆動パルス形成回路と、ソフトウエアの指令に基づき各ステップモータがいずれのモータ駆動パルスを選択するかを決定するモータ運針方式制御回路と、前記決定する際に前記モータ運針方式制御回路の出力に基づき前記複数の駆動パルス形成回路から出力される複数のモータ駆動パルスの中から各ステップモータに必要なモータ駆動パルスを選択して各モータドライバー回路に出力する複数のモータ駆動パルス選択回路とを有する」点を備えていない。
　特許異議申立人は、甲第３号証の分針駆動制御回路６１６、一致回路６１５は本件発明１の駆動パルス形成回路、モータ運針方式制御回路に相当すると主張するが、甲第３号証記載の発明では、分針駆動制御回路６１６は複数存在するものではなく、一致回路の出力によって複数の駆動パルスからいずれかの駆動パルスを複数の選択回路を用いて選択しているものであるということはできない。
　特許異議申立人は、また、甲第５号証の正転波形を形成する手段１８と逆転波形を形成する手段１９、比較・演算する手段１７が本件発明１の駆動パルス形成回路、モータ運針方式制御回路に相当すると主張するが、甲第５号証には正転波形を形成する手段１８と逆転波形を形成する手段１９の出力を複数の選択回路を用いて選択する点は示されていない。
　特許異議申立人は、甲第９号証の制御回路３００がモータ運針制御回路２１２を有し、このモータ運針制御回路２１２には駆動パルス形成回路とモータ運針方式制御回路とを有するとも主張するが、甲第９号証に記載された発明は「測定装置」に関するものであって、アナログ電子時計用ＩＣ自体、アナログ電子時計自体に関するものではなく、複数の駆動パルス形成回路の出力を複数の選択回路を用いて選択することも示されていない。
　そして、本件発明１は、上記の点により本件明細書記載の作用、効果を奏するものであり、本件発明１が甲第３号証ないし甲第９号証に記載された発明から当業者が容易に発明をすることができたものということはできない。
　本件発明２ないし４は、直接又は間接に本件発明１を引用する発明であるから、本件発明１と同様に、いずれも甲第３号証ないし甲第９号証に記載された発明から当業者が容易に発明をすることができたものということはできない。
　したがって、本件発明１ないし４についての特許が特許法２９条２項の規定に違反してされたものであるということはできない。
　
第４　むすび
　以上のとおりであるから、特許異議の申立ての理由及び証拠によっては本件発明１ないし４についての特許を取り消すことはできない。
　また、他に本件発明１ないし４についての特許を取り消すべき理由を発見しない。
　よって、結論のとおり決定する。
【異議決定日】
平成１５年３月１８日（２００３．３．１８）
【訂正の要旨】
　ａ特許請求の範囲の請求項１ないし請求項５において、特許請求の範囲の減縮の釈明を目的として、もとの請求項１にもとの請求項４を合体させるとともにより明確な構成になるように記載し、それに伴いもとの請求項４を削除し、もとの請求項５を請求項４に繰り上げた訂正をする。
　すなわち、特許請求請求の範囲（特許第３０１９３２４号公報の特許請求の範囲）に記載された請求項１ないし請求項５の、
「【請求項１　】少なくともコアＣＰＵ、前記コアＣＰＵを作動させるためソフトウエアを格納するプログラムメモリ、前記ソフトウエアの指令に基づき複数のステップモータの各々の駆動制御信号を出力するモータ運針制御回路、及び、前記モータ運針制御回路から出力される各ステップモータの駆動制御信号を受けて前記各ステップモータを駆動する複数のモータドライバー回路とを有することを特徴とするアナログ電子時計用ＩＣ。
　【請求項２　】前記モータ運針制御回路が、各ステップモータの運針パルス数を制御するための複数のモータクロック制御回路を有することを特徴とする請求項１記載のアナログ電子時計用ＩＣ。
　【請求項３　】前記モータ運針制御回路が、各ステップモータの運針のトリガーとなる運針基準用クロックを形成する運針基準信号形成回路を有し、前記運針基準信号形成回路はソフトウエアの指令に基づき前記運針基準用クロックの周波数を選択できるように構成されていることを特徴とする請求項１または請求項２記載のアナログ電子時計用ＩＣ。
　【請求項４　】前記モータ運針制御回路が、異なる波形のモータ駆動パルスを出力する複数の駆動パルス形成回路と、ソフトウエアの指令に基づき各ステップモータがいずれのモータ駆動パルスを選択するかを決定するモータ運針方式制御回路と有することを特徴とする請求項１または請求項２または請求項３記載のアナログ電子時計用ＩＣ。
　【請求項５　】請求項１または請求項２または請求項３または請求項４記載のアナログ電子時計用ＩＣ、複数のステップモータ、及び前記複数のステップモータに連結される複数の輪列機構を有することを特徴とするアナログ電子時計。」を、
「【請求項１　】少なくともコアＣＰＵ、前記コアＣＰＵを作動させるためソフトウエアを格納するプログラムメモリ、前記ソフトウエアの指令に基づき複数のステップモータの各々の駆動制御信号を出力するモータ運針制御回路、及び、前記モータ運針制御回路から出力される各ステップモータの駆動制御信号を受けて前記各ステップモータを駆動する複数のモータドライバー回路とを有
し、前記モータ運針制御回路が、異なる波形のモータ駆動パルスを出力する複数の駆動パルス形成回路と、ソフトウエアの指令に基づき各ステップモータがいずれのモータ駆動パルスを選択するかを決定するモータ運針方式制御回路と、前記決定する際に前記モータ運針方式制御回路の出力に基づき前記複数の駆動パルス形成回路から出力される複数のモータ駆動パルスの中から各ステップモータに必要なモータ駆動パルスを選択して各モータドライバー回路に出力する複数のモータ駆動パルス選択回路とを有
　【請求項２　】前記モータ運針制御回路が、各ステップモータの運針パルス数を制御するための複数のモータクロック制御回路を有することを特徴とする請求項１記載のアナログ電子時計用ＩＣ。
　【請求項３　】前記モータ運針制御回路が、各ステップモータの運針のトリガーとなる運針基準用クロックを形成する運針基準信号形成回路を有し、前記運針基準信号形成回路はソフトウエアの指令に基づき前記運針基準用クロックの周波数を選択できるように構成されていることを特徴とする請求項１または請求項２記載のアナログ電子時計用ＩＣ。
　【請求項４　】請求項１または請求項２または請求項３
　
と訂正する。
　ｂこれに伴い、特許請求の範囲と発明の詳細な説明の記載との整合性とるため、明細書第６頁第８行目から第１３行目（特許第３０１９３２４号公報第３欄第４４行目〜第４欄第１行目）の「本発明のアナログ電子時計用ＩＣは、少なくともコアＣＰＵ、前記コアＣＰＵを作動させるためソフトウエアを格納するプログラムメモリ、前記ソフトウエアの指令に基づき複数のステップモータの各々の駆動制御信号を出力するモータ運針制御回路、及び、前記モータ運針制御回路から出力される各ステップモータの駆動制御信号を受けて前記各ステップモータを駆動する複数のモータドライバー回路とを有することを特徴とする。」を「本発明のアナログ電子時計用ＩＣは、少なくともコアＣＰＵ、前記コアＣＰＵを作動させるためソフトウエアを格納するプログラムメモリ、前記ソフトウエアの指令に基づき複数のステップモータの各々の駆動制御信号を出力するモータ運針制御回路、及び、前記モータ運針制御回路から出力される各ステップモータの駆動制御信号を受けて前記各ステップモータを駆動する複数のモータドライバー回路とを有
し、前記モータ運針制御回路が、異なる波形のモータ駆動パルスを出力する複数の駆動パルス形成回路と、ソフトウエアの指令に基づき各ステップモータがいずれのモータ駆動パルスを選択するかを決定するモータ運針方式制御回路と、前記決定する際に前記モータ運針方式制御回路の出力に基づき前記複数の駆動パルス形成回路から出力される複数のモータ駆動パルスの中から各ステップモータに必要なモータ駆動パルスを選択して各モータドライバー回路に出力する複数のモータ駆動パルス選択回路とを有
　さらに、同様に、明細書第７頁第３行目〜第８行目（特許第３０１９３２４号公報第４欄第１０から第１４行目）の「また前記モータ運針制御回路が、異なる波形のモータ駆動パルスを出力する複数の駆動パルス形成回路と、ソフトウエアの指令に基づき各ステップモータがいずれの駆動パルスを選択するかを決定するモータ運針方式制御回路を有していても良い。」を削除する。
（５４）【発明の名称】
アナログ電子時計用ＩＣ及びアナログ電子時計
（５７）【特許請求の範囲】
　【請求項１　】少なくともコアＣＰＵ、前記コアＣＰＵを作動させるためソフトウエアを格納するプログラムメモリ、前記ソフトウエアの指令に基づき複数のステップモータの各々の駆動制御信号を出力するモータ運針制御回路、及び、前記モータ運針制御回路から出力される各ステップモータの駆動制御信号を受けて前記各ステップモータを駆動する複数のモータドライバー回路とを有
し、前記モータ運針制御回路が、異なる波形のモータ駆動パルスを出力する複数の駆動パルス形成回路と、ソフトウエアの指令に基づき各ステップモータがいずれのモータ駆動パルスを選択するかを決定するモータ運針方式制御回路と、前記決定する際に前記モータ運針方式制御回路の出力に基づき前記複数の駆動パルス形成回路から出力される複数のモータ駆動パルスの中から各ステップモータに必要なモータ駆動パルスを選択して各モータドライバー回路に出力する複数のモータ駆動パルス選択回路とを有
　【請求項２　】前記モータ運針制御回路が、各ステップモータの運針パルス数を制御するための複数のモータクロック制御回路を有することを特徴とする請求項１記載のアナログ電子時計用ＩＣ。
　【請求項３　】前記モータ運針制御回路が、各ステップモータの運針のトリガーとなる運針基準用クロックを形成する運針基準信号形成回路を有し、前記運針基準信号形成回路はソフトウエアの指令に基づき前記運針基準用クロックの周波数を選択できるように構成されていることを特徴とする請求項１または請求項２記載のアナログ電子時計用ＩＣ。
　【請求項
４
　
【発明の詳細な説明】
［産業上の利用分野］
　本発明は、クロノグラフ表示、タイマー表示等の多機能表示手段を有するアナログ電子時計用ＩＣ及びアナログ電子時計に関する。
［従来の技術］
　従来の多機能アナログ電子時計に於いては、特開昭６１−２８６７８３、特開昭６１−２９４３８８、実開昭６１−２６１９１等に開示されているように、個別に専用ＩＣを用いて多機能を実現していた。
　これらの多機能電子時計に使用されているステップモータは、クロノグラフ機能用、アラーム時刻表示用等、その機能及びムーブメント上での配置に合せた形状で設定され、その駆動方法としてはロータにかかる衝撃、あるいは低温環境下での潤滑油粘性抵抗の増加等の負荷に対しても安定した駆動が得られるように駆動パルスを設定し、信頼性を確保していた。
［発明が解決しようとする課題］
　前述の従来技術に於いては、専用のＩＣが必要であったため、
▲１▼ＩＣの開発期間が長期となるため、市場ニーズへの対応が遅れる。
▲２▼機能追加、仕様変更があった場合のＩＣの変更規模が大きく、最悪の場合、新規ＩＣにする必要があった。
▲３▼機能バリエーションを１つのＩＣで対応させることができない。
等、多様化する消費者ニーズに対応できない。また、ステップモータの駆動パルスは落下による衝撃や低温時の潤滑油の粘性による負荷に抗して確実にロータが回転するように、しかも早送り運針でも安定した回転が得られるようにパルス幅と、周波数を設定しているため、ステップモータはかなり余分な電力を消費している。そのため大型のボタン型電池を必要とし、小型、薄型化の妨げとなる等の欠点を有する。
　本発明は上述の欠点を除去するためのものであり、その目的とするところは、開発期間が短く、機能の追加や仕様変更に容易に対応でき、機能バリエーションに対応でき、ステップモータの消費電力化により、ムーブメントの小型、薄型化を実現することで、多様化する消費者ニーズを満足するアナログ電子時計用ＩＣ及びアナログ電子時計を提供することにある。
［課題を解決するための手段］
　本発明のアナログ電子時計用ＩＣは、少なくともコアＣＰＵ、前記コアＣＰＵを作動させるためソフトウエアを格納するプログラムメモリ、前記ソフトウエアの指令に基づき複数のステップモータの各々の駆動制御信号を出力するモータ運針制御回路、及び、前記モータ運針制御回路から出力される各ステップモータの駆動制御信号を受けて前記各ステップモータを駆動する複数のモータドライバー回路とを有
し、前記モータ運針制御回路が、異なる波形のモータ駆動パルスを出力する複数の駆動パルス形成回路と、ソフトウエアの指令に基づき各ステップモータがいずれのモータ駆動パルスを選択するかを決定するモータ運針方式制御回路と、前記決定する際に前記モータ運針方式制御回路の出力に基づき前記複数の駆動パルス形成回路から出力される複数のモータ駆動パルスの中から各ステップモータに必要なモータ駆動パルスを選択して各モータドライバー回路に出力する複数のモータ駆動パルス選択回路とを有
　尚、前記モータ運針制御回路は、各ステップモータの運針パルス数を制御するための複数のモータクロック制御回路を有していても良い。
　また、前記モータ運針制御回路は、各ステップモータの運針のトリガーとなる運針基準用クロックを形成する運針基準信号形成回路を有し、前記運針基準信号形成回路はソフトウエアの指令に基ずき前記運針基準用クロックの周波数を選択する手段を備えていても良い。
　また、本発明のアナログ電子時計は、前述のいずれかのアナログ電子時計用ＩＣ、複数のステップモータ、及び、前記複数のステップモータに連結される複数の輪列機構を有する。
［作　用］
　本発明の上記構成によれば、プログラムメモリに格納されるソフトウエアによって、複数のステップモータの運針を自在に制御することができる。
［実　施　例］
　第１図は、本発明のアナログ電子時計用ＩＣの一実施例を示すブロック図である。
　第１図に示した様に、ＣＭＯＳ−ＩＣ２０は、コアＣＰＵを中心にしてワンチップ上にプログラムメモリ、データメモリ、４個のモータドライバ、モータ運針制御回路、サウンドジェネレータ、インタラプト制御回路等を集積したアナログ電子時計用のワンチップマイクロコンピュータである。以下、第１図について説明する。
　２０１はコアＣＰＵであり、ＡＬＵ、演算用レジスタ、アドレス制御レジスタ、スタックポインタインストラクションレジスタ、インストラクションデコーダ等で構成されており、周辺回路とはメモリマップドＩ／Ｏ方式によりアドレスバス（ａｄｂｕｓ）及びデータバス（ｄｂｕｓ）で接続されている。
　２０２は２０４８ｗｏｒｄ×１２ｂｉｔ構成のマスクＲＯＭよりなるプログラムメモリであり、ＩＣを動作させるためのソフトウエアを格納している。
　２０３はプログラムメモリ２０２のアドレスデコーダである。
　２０４は１１２ｗｏｒｄ×４ｂｉｔ構成のＲＡＭからなるデータメモリであり、各種時計のためのタイマや各指針の針位置を記憶するためのカウンタ等に用いられる。
　２０５はデータメモリ２０４のアドレスデコーダである。
　２０６は発振回路であり、Ｘｉｎ及びＸｏｕｔ端子に接続される音叉型水晶振動子を源振に３２７６８Ｈｚで発振する。
　２０７は発振停止検出回路であり、発振回路２０６の発振が停止するとそれを検出し、システムにリセットをかけ。
　２０８は第１分周回路であり、発振回路２０６より出力される３２７６８Ｈｚ信号φ３２ｋを順次分周して、１６Ｈｚ信号φ１６を出力する。
　２０９は第２分周回路であり、第１分周回路２０８より出力される１６Ｈｚ信号１６を１Ｈｚ信号φ１まで分周する。尚、８Ｈｚから１Ｈｚまでの各分周段の状態はソフトウエアによりコアＣＰＵ２０１内に読み込むことができる。
また、本実施例のＩＣに於いては、時計計時等の処理のためのタイムインタラプトＴｉｎｔとして、１６Ｈｚ信号φ１６、８Ｈｚ信号φ８、１Ｈｚ信号φ１を用いている。タイムインタラプトＴｉｎｔは各信号の立下りで発生し、各インタラプト要因の読み込みとリセット及びマスクはすべてソフトウエアにより行なわれ、リセットとマスクについては各要因ごとに個別に行なえるように構成されている。
　２１０はサウンドジェネレータであり、ブザー駆動信号を形成しＡＬ端子に出力する。ブザー駆動信号の駆動周波数、ＯＮ／ＯＦＦ、鳴鐘パターンはソフトウエアにより制御することができる。
　２１１はクロノグラフ回路であり、具体的には第２図の様に構成されており、１／１００秒計クロノグラフを構成する際に、１／１００秒針の運針制御をハードウエアで行ないソフトウエアの負荷を著しく軽減することが可能である。
　第２図に於いて、２１１はクロック形成回路であり、５１２Ｈｚ信号φ５１２からクロノグラフ計測の基準クロックとなる１００Ｈｚ信号φ１００と、１／１００秒針駆動パルスＰｆを形成するための１００Ｈｚでパルス幅３．９１ｍｓのクロックパルスＰｆｃを形成する。２１１２は５０進のクロノグラフカウンタであり、ＡＮＤゲート２１１９を通過するφ１００をカウントし、制御信号形成回路２１１８より出力されるクロノグラフリセット信号Ｒｃｇによりリセットされる。２１１３はレジスタであり、制御信号形成回路２１１８よりスプリット表示指令信号Ｓｐが出力された時にクロノグラフカウンタ２１１２の内容をホールドする。２１１４は５０進の針位置カウンタであり、１／１００秒針駆動パルスＰｆをカウントすることにより１／１００秒針の表示位置を記憶し、制御信号形成回路２１１８から１／１００秒針のφ位置を記憶させるための信号Ｒｈｎｄによりリセットされる。２１１５は一致検出回路であり、レジスタ２１１３と針位置カウンタ２１１４の内容を比較し一致している時には一致信号Ｄｔｙを出力する、２１１６はφ位置検出回路であり、針位置カウンタ２１１４のφを検出するとφ検出信号Ｄｔｏを出力する。２１１７は１／１００秒針運針制御回路であり、１／１００秒針動態かつクロノグラフ計測期間中はクロノグラフカウンタ２１１２と針位置カウンタ２１１４の内容が一致している時にクロックパルスＰｆｃを通し、スプリット表示時及び計測停止時にはレジスタ２１１３と針位置カウンタ２１１４が一致していない時にクロックパルスＰｆｃを通し、１／１００秒針非動作状態でクロノグラフの計測中には針位置カウンタ２１１４の内容がφ以外の時にクロックパルスＰｆｃを通すように構成されている。２１１８は制御信号形成回路であり、ソフトウエアの指令により、クロノグラフ計測のスタート／ストプを指令するスタート信号Ｓｔ、スプリット表示／スプリット表示解除を指令するスプリット信号Ｓｐ、クロノグラフ計測のリセットを指令するクロノグラフリセット信号Ｒｃｇ　１／１００秒針のφ位置を記憶させるためのφ位置信号Ｒｈｎｄ、及び１／１００秒針の動作／非動作を指令するＤｒｖを形成し出力する。尚１／１００秒針駆動はステップモータＣのみで可能である。また、クロノグラフカウンタ２１１２から出力される５Ｈｚのキャリー信号φ５によりクロノグラフインタラプトＣＧｉｎｔが発生し、ソウトウエアにより１／５秒以降のクロノグラフ計測処理が可能である。
　２１２はモータ運針制御回路であり、具体的には第３図の様に構成されており、ソフトウエアからの指令に基づいて各モータドライバにモータ駆動パルスを出力する。以下、第３図について説明する。
　２１９はモータ運針方式制御回路であり、各モータの運針方式をソフトウエアからの指令に従って記憶するとともに、正転駆動Ｉを選択するＳａ、正転駆動ＩＩを選択するＳｂ、逆転駆動Ｉを選択するＳｃ、逆転駆動ＩＩを選択するＳｄ、正転補正駆動を選択すＳｅの各制御信号を形成し出力する。
　２２０は運針基準信号形成回路であり、具体的には第４図の様に構成され、ソフトウエアからの指令により運針用基準クロックＣｄｒｖを形成し出力する。
　第４図に於いて、２２０１は３ｂｉｔのレジスタであり、ソフトウエアからの指令（アドレスデコーダ２２０２の出力信号）によって、運針用基準クロックＣｄｒｖの周波数を決定するためのデータを記憶する。２２０３は３ｂｉｔのレジスタであり、プログラマブル分周期２２０５から出力される運針基準用クロックＣｄｒｖの立下りで、レジスタ２２０１が記憶しているデータをとり込み記憶する。２２０４はデコーダであり、レジスタ２２０３が記憶するデータに対応して、２、３、４、５、６、８、１０、１６の数を２進数の形で出力する。２２０５はプログラマブル分周器であり、第１分周回路２０８から出力される２５６Ｈｚ信号φ２５６を、デコーダ２２０４から出力される数値をｎとすると、１／ｎに分周し出力する。従って、運針基準信号形成回路２２０は、ソフトウエアからの指令によって、運針用基準クロックＣｄｒｖの周波数を１２８Ｈｚ　８５．３Ｈｚ　６４Ｈｚ、５１．２Ｈｚ、４２．７Ｈｚ、３２Ｈｚ、２５．６Ｈｚ、１６Ｈｚの８種類から選択することができる。また、運針用基準クロックＣｄｒｖの周波数変更は、レジスタ２２０３にデータがとりこまれた時点でおこなわれ、レジスタ２２０３へのデータとりこみは運針基準用クロックＣｄｒｖに同期しておこなわれるため、前の周波数ｆａから次の周波数ｆｂに切り替わる際には、必ず１／ｆａの間隔が確保される。
　尚、正転駆動Ｉ及び逆転駆動を連結して行なう場合には、運針基準用クロックＣｄｒｖの周波数は６４Ｈｚ以下に限定される。
　２２１は、第１駆動パルス形成回路であり、第５図に示した正転駆動Ｉ用の駆動パルスＰａを形成し出力する。
　２２２は、第２駆動パルス形成回路であり、第６図に示した正転駆動ＩＩ用の駆動パルスＰｂを形成し出力する。
　２２３は、第３駆動パルス形成回路であり、第７図に示した逆転駆動Ｉ用の駆動パルスＰｃを形成し出力する。
　２２４は第４駆動パルス形成回路であり、第８図に示した逆転駆動ＩＩ用の駆動パルスＰｄを形成し出力する。
　２２５は、第５駆動パルス形成回路であり、補正駆動用のパルス群Ｐｅ（特開昭６０−２６０８８３に開示されている通常駆動パルスＰ１、補正駆動パルスＰ２、交流磁界検出時パルスＰ３、交流磁界検出パルスＳＰ１、回転検出パルスＳＰ２）を形成し出力する。
　２２６、２２７、２２８、２２９は、モータクロック制御回路であり、具体的には第９図の様に構成されておりそれぞれステップモータＡ、ステップータＢ、ステップモータＣ、ステップモータＤの運針パルス数をソフトウエアからの指令により制御する。
　第９図に於いて、２２６１は４ｂｉｔのレジスタであり、ソフトウエアにより指令された運針パルス数を記憶する。２２６２は４ｂｉｔのアップカウンタであり、ＡＮＤゲート２２７４を通過する運針用基準クロックＣｄｒｖをカウントし、制御信号Ｓｒｅｓｅｔによりリセットされる。２２６３は一致検出回路であり、レジスタ２２６１とアップカウンタ２２６２の内容を比較し一致した時に一致信号Ｄｙを出力する。２２６４はオール１検出回路であり、レジスタ２２６１の内容がオール１の時にオール１検出信号Ｄ１５を出力する。２２６５はモータ駆動パルス形成用トリガー信号発生回路であり、ＮＯＴゲート２２６６及び２２６７、３入力アンドゲート２２６８、２入力ＡＮＤゲート２２６９、２入力ＯＲゲート２２７０から成り、レジスタ２２６１にオール１（１５）がセットされた時にはそれ以外のデータがセットされるまで繰り返しモータパルスを出力し続け、オール１以外のデータがセットされた時にはそのデータ分だけモータパルスを出力し、次のデータがセットされるまでモータパルス出力が停止するように構成されている。２２７１は双方向スイッチであり、制御信号Ｓｒｅａｄが出力されたときにＯＮし、アップカウンタ２２６２のデータをデータバスに乗せる。２２７２は制御信号形成回路であり、ソフトウエアからの指令によりレジスタ２２６１に運針パルス数をセットするための信号Ｓｓｅｔ、アップカウンタ２２６２のデータを読み込むための信号Ｓｒｅａｄ、レジスタ２２６１及びアップカウン２２６２をリセットするための信号Ｓｒｅｓｅｔを形成し出力する。尚、信号Ｓｒｅａｄが出力された場合にはＮＯＴゲート２２７３とＡＮＤゲート２２７４により運針基準用クロックＣｄｒｖの通過が禁止される。この場合、読み込み後には信号Ｓｒｅｓｅｔを発生させてレジスタ２２６１とアップカウンタ２２６２をリセットする必要がある。また、一致検出回路２２６３が一致した時（セットされたパルス数を出力し終えた時）各モータはモータコントロールインタラプト（Ｍｉｎｔ）を発生する。モータコントロールインタラプトが発生した場合には、ソフトでどのインタラプトが発生したかを読み込むことができ、読み込み後にはリセットすることができる。
　２３０、２３１、２３２、２３３はトリガー形成回路であり、モータ運針方式制御回路２１９から出力される運針方式制御信号Ｓａ、Ｓｂ、Ｓｃ、Ｓｄ、Ｓｅに対応して、モータクロック制御回路から出力されるトリガー信号Ｔｒを２２１、２２２、２２３、２２４、２２５の各駆動パルス制御回路がモータ駆動パルスＰａ、Ｐｂ、Ｐｃ、Ｐｄ、Ｐｅを形成するためのトリガー信号Ｓａｔ、Ｓｂｔ、Ｓｃｔ、Ｓｄｔ、Ｓｅｔとして通過させる。２３４、２３５、２３６、２３７はモータ駆動パルス選択回路であり、運針方式制御信号Ｓａ、Ｓｂ、Ｓｃ、Ｓｄ、Ｓｅに対応して、各駆動パルス形成回路から出力されるモータ駆動パルスＰａ、Ｐｂ、Ｐｃ、Ｐｄ、Ｐｅの中から各ステップモータに必要な駆動パルスを選択し出力する。以上で第３図の説明を終る。
　２１３、２１４、２１５、２１６はモータドライバであり、モータ駆動パルス選択回路から出力されるモータ駆動パルスを各々のモータ駆動回路が有する２個の出力端子に交互に出力し、各ステップモータを駆動する。
　２１７は入力制御及びリセット回路であり、Ａ、Ｂ、Ｃ、Ｄ、ＲＡ１、ＲＡ２、ＲＢ１、ＲＢ２の各スイッチ入力の処理及びＫ、Ｔ、Ｒの入力端子の処理を行なう。前記Ａ、Ｂ、Ｃ、Ｄのうちいずれか１つまたはＲＡ１、ＲＡ２、ＲＢ１、ＲＢ２のうちいずれか１つのスイッチが入力するとスイッチインタラプトＳＷｉｎｔを発生する。この時のインタラプト要因の読み込み及びリセットはソフトウエアにより行なわれる。尚、各入力端子はＶｓｓにプルダウンされており、オープン状態ではデータφ、ＶＤＤに接続された状態でデータ１となる。
　Ｋ端子は仕様切替端子であり、Ｋ端子のデータによって２種類の仕様を選択することができる。尚、Ｋ端子のデータの読み込みはソフトウエアにより行なう。
　Ｒ端子はシステムリセット端子であり、Ｒ端子がＶＤＤに接続されるとハードウエアにより、コアＣＰＵ、分周回路、及びその他周辺回路が強制的に初期状態に設定される。
　Ｔ端子はテストモード変換端子であり、ＲＡ２端子をＶＤＤに接続した状態でＴ端子にクロックを入力することにより、周辺回路をテストするための１６のテストモードを切替えることができる。主なテストモードとして、正転Ｉ確認モード、正転ＩＩ確認モード、逆転Ｉ確認モード、逆転ＩＩ確認モード、補正駆動確認モード、クロノグラフ１／１００秒確認モード等を有しており、これらの確認モードに於いては各モータ駆動パルス出力端子に自動的にモータ駆動パルスが出力される。
　システムリセットは、Ｒ端子をＶＤＤに接続する方法の他に、スイッチの同時入力でも行なうことができ、本ＩＣに於いては、ＡかＣのいずれか１つとＢ及びＲＡ２の同時入力があった時と、Ａ、Ｂ、Ｃのいずれか１つとＲＡ２、ＲＢ２の同時入力があった時にハードウエアにより強制的にシステムリセットがかかる様に構成されている。
　また、ソフトウエアで処理できるリセット機能として、分周回路リセットと周辺回路リセットがあり、周辺回路リセットを行なった場合には分周回路もリセットされる。
　２１８はインタラプト制御回路であり、スイッチインタラプト、クロノグラフインタラプト、モータコントロールインタラプトに関して、各々のインタラプトの優先順位づけ、読み込みが行なわれるまでの記憶、読み込み後のリセット処理を行なう。
　２００は定電圧回路であり、ＶＤＤ−ＶＳＳ間に印加される電池電圧（１．５８Ｖ）から約１．２Ｖの低定電圧を形成しＶＳ１端子に出力する。
　以上で第１図についての説明を終わる。
　以上詳細に説明してきた様に、ＣＭＯＳ−ＩＣ２０はステップモータの駆動に関して以下の特徴を備えており、多針タイプの多機能アナログ電子時計用ＩＣとして非常に優れている。
　▲１▼モータドライバ２１３、２１４、２１５、２１６を有しており、４個のステップモータを同時に駆動できる。
　▲２▼運針制御方式制御回路２１９と駆動パルス形成回路２２１〜２２５とモータ駆動パルス選択回路２３４〜２３７を有しており、ソフトウエアによって４個のステップモータそれぞれに３種類の正転駆動と２種類の逆転駆動をさせることができる。
　▲３▼運針基準信号形成回路２２０を有しており、ソフトウエアによって、各ステップモータの運針速度を自在に変更することができる。
　▲４▼４個のステップモータそれぞれに対応するモータクロック形成回路２２６〜２２９を有しており、ソフトウエアによって、各ステップモータの運針パルス数を自在に設定することができる。
　次に、本発明の多機能アナログ電子時計の一実施例の平面図を第１０図に示し説明する。本実施例では４つのステップモータを用い多機能化を実現している。以下、第１０図について説明する。
１は樹脂形成により成る地板であり、２は電池である。３は通常時刻を表示させるためのステップモータＡであり、高透磁材より成る磁心３ａ、磁心３ａに巻かれたコイルとその両端を導通可能に端末処理したコイルリード基板とコイル枠より成るコイルブロック３ｂ、高透磁材より成るステータ３ｃ、ロータ磁石とかなより成るロータ４により構成されている。また、５、６、７、８はそれぞれ、五番車、四番車、三番車、二番車であり、９は日の裏車、１０は筒車である。二番車及び筒車は時計体のセンター位置に配置されている。これらの輪列構成により、時計体のセンター位置に通常時刻の分表示多び時表示を行なっている。第１１図は、この通常時刻時分表示のための輪列の係合状態を示した断面図である。図に示した様に、ロータかな４ａは五番車５ａとかみ合い、五番かな５ｂは四番歯車６ａとかみ合っている。また、四番かな６ｂは三番歯車７ａとかみ合い、三番かな７ｂは二番歯車８ａとかみ合っている。このロータかな４ｂから二番歯車８ａまでの減速比は１／１８００となっており、ロータが１秒間に半回転することにより、二番車は３６００秒即ち６０分に１回転し、通常時刻の分表示が可能となる。１１は、分表示のために二番車８先端にかん合された分針である。また、二番かな８ｂは日の裏歯車９ａとかみ合い、日の裏かな９ｂは筒車１０とかみ合っている。二番かな８ｂから筒車１０までの減速比は１／１２となっており、通常時刻の時表示が可能となっている。１２は、時表示のために筒車１０の先端にかん合された時針である。また、第１０図において、１３は時計体の９時方向の軸上に配置された小秒車であり、ロータ４、五番車５、小秒車１３による輪列構成により、時計体の９時方向の軸上に通常時刻の秒表示を行なっている。第１２図は、この通常時刻秒表示のための輪列の係合状態を示した断面図である図に示した様に、五番かな５ｂは小秒歯車１３ａとかみ合っている。ロータかな４ａから小秒歯車１３までの減速比は１／３０となっており、ロータ４が１秒間に１８０°回転することにより、小秒車１３は６０秒に１回転即ち、１秒間６°回転し、通常時刻の秒表示が可能となる。１４は、秒表示のために小秒車１３の先端にかん合された小秒針である。このステップモータＡの駆動は、駆動パルス印加後にロータ４の自振動によって発生する誘起電圧の大小を検出し、回転、非回転の判断を行い、非回転と判断された場合には直ちに補正パルスが印加され、ロータを確実に回転させている。ロータの回転検出については、特開昭６０−２６０８３３で詳細に述べられている。このロータの回転検出を行うことにより駆動パルスを狭くすることが可能で１Ｈｚで常時駆動するステップモータＡの消費電力を低減することが可能となる。
　第１０図において１５は、クロノグラフ秒針表示のためのステップモータＢであり、高透磁材より成る磁心１５ａ、磁心１５ａに巻かれたコイルとその両端を導通可能に端末処理したコイルリード基板とコイル枠より成るコイルブロック１５ｂ高透磁材より成るステータ１５ｃ、ロータ磁石とロータかなより成るロータ１６により構成されている。また、１７、１８、１９はそれぞれ１／５秒ＣＧ第一中間車、１／５秒ＣＧ第二中間車、１／５秒ＣＧ車であり、１／５秒ＣＧ車は時計体のセンター位置に配置されている。これらの輪列構成により、時計体のセンター位置にクロノグラフの秒表示を行なっている。第１３図は、このクロノグラフ秒表示のための輪列の係合状態を示した断面図である。図に示した様に、ロータかな１６ａは１／５秒ＣＧ第一中間歯車１７ａとかみ合い、１／５秒ＣＧ脱一中間かな１７ｂは１／５秒ＣＧ第二中間歯車１８ａとかみ合っている。また、１／５秒ＣＧ第二中間かな１８ｂは１／５秒ＣＧ歯車１９ａとかみ合っている。このロータかな１６ａから１／５秒ＣＧ歯車１９ａまでの減速比は１／１５０となっている。
　ＣＭＯＳ−ＩＣ２０からの電気信号により、ロータ１６は１／５秒間に１８０°回転する。このため１／５秒ＣＧ車１９は１／５秒間に特許第３０１９３２４号（５）９　１０１０　２０　３０　４０　５０１．２°即ち、１秒間に１．２°×５ステップ回転し、１／５秒きざみのクロノグラフ秒表示が可能となる。１／５秒ＣＧ車１９は１周６０秒を３６０°／１．２°＝３００ステップで回転し、クロノグラフの１／５秒表示を可能にしている。Ｇ針である。また、１／５秒ＣＧ針２１は、タイマー時刻セットのためのタイマーセット針としての機能も兼用している。このタイマー動作については後に述べる。このステップモータＢはクロノグラフ動作時は５Ｈｚで駆動されるため消費電力が大きい。しかし、ロータの回転検出を行うことで駆動パルスの幅を狭くすることができ、従来のクロノグラフに比べその消費電力が約１／２に抑えられている。第１７図は本実施例の多機能電子時計の完成体の外観図である。ステップモータＡによって駆動される指針は小秒針１４、分針１１及び時針１２であり、ステップモータＢによって駆動される指針は１／５秒ＣＧ針２１である。分針１１、時針１２及び１／５秒ＣＧ針２１は大型で重量、アンバランス量共大きく、衝撃によるロータへの負荷も大きくなる。従って偶発的とは言え狭い駆動パルスではロータが回転しない可能性もある。このような欠点を補うため、ステップモータＡ及びＢは、ロータの回転検出を行い、非回転となった場合には直ちに補正パルスを出力し、確実な回転を確保している。
　２７は、クロノグラフの分表示及びタイマー時刻秒表示のためのモータＣであり、高透磁材より成る磁心２７ａ、磁心２７ａに巻かれたコイルとの両端を導通可能に端末処理したコイルリード基板とコイル枠より成るコイルブロック２７ｂ、高透磁材より成るステータ２７ｃ、ロータ磁石とロータかなよりなるロータ２８により構成されている。また、２９、３０はそれぞれ、分ＣＧ中間車及び分ＣＧ車であり、分ＣＧ車３０は時計体の１２時方向の軸上に配置されている。これらの輪列構成により、時計体の１２時方向の軸上にクロノグラフの分表示、及びタイマー経過時刻の秒表示を行なっている。第１４図はこのクロノグラフ分表示及びタイマー経過時刻秒表示のための輪列の係合状態を示した断面図である。図に示した様に、ロータかな２８ａは分ＣＧ中間歯車２９ａとかみ合い、分ＣＧ中間かな２９ｂは分ＣＧ歯車３０ａとかみ合っている。このロータかな２８ａから分ＣＧ歯車３０ａまでの減速比は１／３０となっている。クロノグラフモードの場合、ＣＭＯＳ−ＩＣ２０からの電気信号により、ロータ２８は１分間に３６０°の割合即ち、３０秒ごとに１８０°×２ステップで回転する。従って、分ＣＧ車は１分間で１２°即ち３０分間で３６０°（１２°×３０ステップ）回転し、３０分間のクロノグラフ分表示が可能となる。３１は、クロノグラフ分表示のために分ＣＧ車先端にかん合された分ＣＧ針である。この分ＣＧ針３１と前述した１／５秒ＣＧ針２１との組み合わせにより、最小読み取り単位１／５秒、最大計測３０分のクロノグラフ表示が可能である。次にタイマーモードの場合であるが、ＣＭＯＳ−ＩＣ２０からの電気信号により、ロータ２８はクロノグラフモード時とは逆により、ロータ２８はクロノグラフモード時とは逆方向に回転する。この回転は１秒間に１８０°×１ステップであり、分ＣＧ針３１は反時計方向に１秒刻みで回転し、１周６０秒のタイマー経過時間秒表示を行なう。また、この時、ロータ１６は、ＣＭＯＳ−ＩＣ２０からの電気信号により、クロノグラフモード時とは逆方向に１分間に１８０°×５ステップ回転する。従って１／５秒ＣＧ針２１は、反時計方向に１分間６°の割合で回転し、タイマー経過時間分表示を行なう。また、タイマー時刻の設定であるが、第１０図の第２巻真２３が１段目の状態において、Ｂスイッチ２５を１回押すごとにロータ１６は１８０°×５ステップ回転し、１／５秒ＣＧ針２１は６°単位（目盛上１分単位）で回転し、最大６０分までのタイマー設定時刻を表示する。
　第１０図３２は、アラーム設定時刻表示のためのステップモータＤであり、高透磁材より成る磁心３２ａ、磁心３２ａに巻かれたコイルとその両端を導通可能に端末処理したコイルリード基板とコイル枠より成るコイルブロック３２ｂ、高透磁材より成るステータ３２ｃ、ロータ磁石とロータかなより成るロータ３３により構成されている。また、３４、３５、３６　３７はそれぞれＡＬ中間車、ＡＬ分車、ＡＬ日の裏車、ＡＬ筒車であり、ＡＬ分車３５及びＡＬ筒車３７は時計体の６時方向の軸上に配置されている。これらの輪列構成により、時計体の６時方向の軸上にアラーム設定時刻表示を行なっている。第１５図は、このアラーム設定時刻表示のための輪列の係合状態を示した断面である。図に示した様に、ロータかな３３ａはＡＬ中間歯車３４ａとかみ合い、ＡＬ中間かな３４ｂはＡＬ分歯車３５ａとかみ合っている。また、ＡＬ分かな３５ｂはＡＬ日の裏歯車３６ａとかみ合い、ＡＬ日の裏かな３６ｂはＡＬ筒車３７とかみ合っている。ロータかな３３ａからＡＬ分歯車３５ａまでの減速比は１／３０であり、ＡＬ分かな３５ｂからＡＬ筒車３７までの減速比は１／１２となっている。また、３８はＡＬ分車３５先端にかん合されたＡＬ分針であり、３９はＡＬ筒車３７先端にかん合されたＡＬ時針である。
　第２巻真２３が１段目の場合、アラームセットモードとなり、Ｃスイッチ２６を１回押すごとにＣＭＯＳ−ＩＣ２０からの電気信号によりロータ３３は１８０°回転する。従って、ＡＬ分針は６°（目盛上１分）、ＡＬ時計は０．５°回転する。これにより、アラーム時刻を１分単位で最大１２時間まで設定できる。また、この時、Ｃスイッチ２６を押し続けるとＡＬ分針３８及びＡＬ時針３９は加速的に連続自走し、最大１２８Ｈｚで早送りされ、短時間でのアラーム時刻の設定が可能となる。このときのステップモータの駆動パルスは第２３（ａ）図に示すように、パルス幅４．３９ｍｓｅｃでパルスの間隔は７．８１ｍｓｅｃで次の半転パルスが出力される。
　その後設定されたアラーム時刻と通常時刻が一致するとアラーム音が鳴鐘する。また、第２巻真２３が０段目の場合、アラームオフモードとなり、ＡＬ分針３８及びＡＬ時針３９は通常時刻を表示する。このとき、ステップモータＤに、パルス幅４．３９ｍｓｅｃ、１２８Ｈｚの駆動パルスが印加され、短時間で通常時刻に切替わる。通常時刻に切替った後、ロータ３３はＣＭＯＳ−ＩＣ２０からの電気信号により１分毎特許第３０１９３２４号（６）１１　１２１０　２０　３０　４０　５０に１８０°ステップで回転する。従って、ＡＬ分針３８は１分運針を行なう。この１分運針時のステップモータＤの駆動パルスは第５図に示すように６．８４ｍｓｅｃのパルスが出力されその後０．７３ｍｓｅｃの期間をおいて幅０．２４ｍｓｅｃのパルスが５発出力される。このパルスは時計携帯時に偶発的におこる衝撃や低温環境下での潤滑油の粘性抵抗が増加に共なうロータへの負荷に抗して十分にロータが回転できるように設定されたパルスであるため、確実な通常時刻表示を行うことができる。
　第２３図（ｂ）は、１／１００秒針を作動させるためのステップモータに印加する駆動パルスの実施例を示す。駆動パルスは３．９１ｍｓｅｃの幅をもち１００Ｈｚで出力される。第２３図（ａ）に示す早送りパルスよりパルス幅が狭くなっている。これは、ステップモータのコイルの起磁力が大きい場合、あるいは、ロータの磁石を小型にした場合などは、ロータの回転が速いため、狭いパルスで安定した動作が得られるからである。ステップモータＤのコイルの起磁力を大きくしたり、ロータ磁石を小型にした場合は駆動パルスの幅を３．９１ｍｅｓｃあるいは、それ以下に設定してもよい。この場合、パルス幅が狭くて済むため１２８Ｈｚ以上の早送りも可能となる。
　第２４図はステップモータＡと駆動される輪列群を文字板側から見た概略図であり、図中の矢印は各輪列の回転方向を示している。ロータ４の回転は五番車５へ伝達されさらに小秒車１３へ伝わり小秒針１４によって秒表示される。また五番車５からは四番車６、三番車７を経て二番車８へ伝達され、分針１１によって分表示がされる。さらに二番車８から日の裏車９と筒車１０へ伝達され時針１２によって時表示される。このようにステップモータＡでの運針による時刻表示はロータ４から数えて秒表示は３番目、分表示は５番目、時表示は７番目と奇数番目の輪列によって行われる。
　第２５図はクロノグラフ秒表示を行うステップモータＢとその輪列群を示す。ロータ１６の回転はまず１／５秒ＣＧ第一中間車１７へ伝達されさらに１／５秒ＣＧ第二中間車へ伝わり１／５秒ＣＧ車にかん合された１／５秒ＣＧ針２１によってクロノグラ１／５秒表示が行われる。このようにステップモータＢでのクロノグラフ表示はロータ１６から数えて４番と偶数番目の輪列で行っているためステップモータＡをそのまま使うことはできない。しかし、ロータ１６の回転方向をステップモータＡのロータ４と逆向に回転させてやればよい。このためには第２４図のステータＡ３ｃのロータ４の中心に対して対向する内ノッチ３ｄ及び３ｅを９０°回転させた位置、すなわち第２５図の１５ｄ及び１５ｅに示すような位置にすればよい。ステータＡとステータＢは外形が全く等しく製造上同一の工程で加工が可能で内ノッチの位置を変えるだけで容易に加工ができるためコストメリットも大きい。またコイルブロック３ｂ及び１５ｂは全く同一のものを使用しているため部品加工はもとより、組立も簡素化されている。
　第２６図はアラーム時刻表示を行うステップモータＤと輪列群を示す。ロータ３３の回転はＡＬ中間車３４を経てＡＬ分車３５へ伝達されＡＬ分車３５にかん合されたＡＬ分針３８によってアラーム分表示を行う。またＡＬ分車３５の回転はＡＬ日の裏車３６へ伝わり、さらにＡＬ筒車３７へ伝達され、ＡＬ筒車３７にかん合されたＡＬ時針３９によってアラーム時表示がされる。このようにステップモータＤでのアラーム時刻表示はロータ３３から数えて３番目で分表示、５番目で時表示と奇数番目の輪列によって行われている。このためステータＤ３２ｃの内ノッチ３３ｄ及び３３ｅは第７図に示すステータＡ３ｃと同じ位置にある。またクロノグラフ分表示を行うステップモータＣはステップモータＤと全く同一であり輪列の歯車とかなの歯型形状も同一のものを使用している。
　次に、ステップモータＡ又はステップモータＢとステップモータＣ又はステップモータＤの２種類のステップモータの相違点を説明する。ステップモータＡは１Ｈｚ駆動、ステップモータＢのクロノグラフ機能作動時は５Ｈｚ駆動でありステップモータＣ及びステップモータＤは１／６０Ｈｚ駆動、すなわち１分運針である。このためステップモータＡ及びステップモータＢで消費する電力は大きくなる。この消費電力を極力抑えるために駆動パルス印加後、ロータの自由振動により発生する誘起電圧の大小を検出することによってロータの回転検出を行っている。この発生する誘起電圧は、コイルの巻き数に比例して大きくなることが一般に知られている。従ってステップモータＡ及びステップモータＢで使用しているコイルブロックは可能な限りコイル用線を多く巻いてある。コイル用線を細くし巻き数を増やすことも考えられるが、細い用線ほど単位長さ当りの抵抗値が増加しジュール熱等の損失も大きくなるばかりか、部品加工上用線の断線などの問題を発生しコイル用線を細くすることは得策でない。このようにロータの回転検出を行うステップモータでは、コイルを可能な限り大きくする必要がある。尚、ロータの回転検出に関しては特開昭６０−２６０８８３に詳細に述べられている。
　これに対してステップモータＣ及びステップモータＤは６０秒に１回の駆動パルスが印加されるため多機能電子時計全体からみた消費電力は少ない。このため複雑な回路構成を必要としかつ大きなスペースを占めるコイルブロックを必要とするロータの回転検出を行うよりは、ロータにかかる負荷を考慮した単純な駆動パルスを設定する方が有利である。ロータにかかる負荷としては落下時の衝撃、あるいは低温での潤滑油の粘性抵抗の増加などがあるが、この負荷に抗してロータを確実に回転させるためには、無負荷状態での駆動パルスに比べパルス幅を２倍〜５倍程度にすれば十分である。また、特開昭６０−２６０８３３にある補正パルスＰ２を駆動パルスとして設定してもよい。本実施例ではステップモータＡ及びステップモータＢの駆動パルスの幅は２．４４ｍｓｅｃであり、ステップモータＣは４．３９ｍｓｅｃである。またステップモータＤは、補正パルスＰ２を駆動パルスとして設定している。このように駆動パルスの出力が少ないステップモータではロータの駆動方法を単純にすることで駆動回路も簡素化され、コイルブロックも小型化が可能であるため、ステップモータの占める平面サイズが小さくて済む。従って、２個のステップモータＣ、Ｄを小型化することができムーブメント全体としても、小型化が可能となった。
　ステップモータＣのクロノグラフ機能作動時とステップモータＤの通常時刻表示時の運針は共に１分運針であるためモータの消費電力はステップモータＡの１秒運針やステップモータＢの１／５秒運針に比べ極めて少ない。従って駆動パルスも予めロータの負荷に対しても十分回転するだけの余裕をもった駆動パルスを一種類設定しておけば、駆動回路の構成も繁雑にならない。また第１７図に示すように、ステップモータＣによって駆動される指針は分ＣＧ針３１であり、ステップモータＤによって駆動される指針はＡＬ分針３８及びＡＬ時針３９である。これらの指針はいずれも小型で重量、アンバランス共比較的少ない。従って衝撃時のロータへの負荷も時分針や１／５秒ＣＧ針に比べ少なくなる。そこで、ステップモータＣ及びＤの駆動パルスはロータが無負荷状態で回転している時のパルス幅の２倍〜５倍の幅をもたせれば十分である。また特開昭６０−２６０８３３に述べられている補正パルスＰ２を駆動パルスとしてもよい。このように固定された一種類のパルスでステップモータを駆動するためには、パルス幅を無負荷時の２〜５倍に設定する必要があるため１０秒運針以下の速い運針を行うステップモータでは消費電力が大きい。従って１／１０Ｈｚ以上の駆動はロータの回転検出を行うことでパルス幅を狭くし、消費電力を低減することができる。１／１０Ｈｚより低い周波数での駆動は、固定したパルスで駆動した方が回路構成が繁雑にならずＭＯＳ−ＩＣチップも小型になり効果的である。以上のように本発明によってスップモータの消費電力を低減することが可能で従来より薄型のボタン型電池を使用することでムーブメントの厚みを１０％薄くすることができた。
　第１６図に、ＣＭＯＳ−ＩＣ２０と他の電気素子との回路結線図を示す。第１６図に於いて、２は酸化銀電池（ＳＲ９２７Ｗ）、３ｂはステップモータＡのコイルブロック、１５ｂはステップモータＢのコイルブロック、２４はＡスイッチ、２５はＢスイッチ、２６はＣスイッチ、２７ｂはステップモータＣのコイルブロック、３２ｂはステップモータＤのコイルブロック、５５及び５６はブザー駆動用の素子であり、５５は昇圧コイル、５６は保護ダイオード付ミニモールドトランジスタ、５７はＣＭＯＳ−ＩＣ２０に内蔵されている定電圧回路の電圧変動を抑えるための０．１μＦのチップコンデンサ、５８はＣＭＯＳ−ＩＣ２０に内蔵されている発振回路の源振となる超小型音叉型水晶振動子、４６ａはかんぬき４６の一部分に形成されたスイッチ、５９ａは第二オシドリ５９の一部分に形成されたスイッチ、６４は第１０図には図示されてないが時計ケースの裏ブタに貼り付けられた圧電ブザーである。
尚、スイッチ２４、２５、２６はプッシュボタンタイプのスイッチであり、プッシュ時にのみ入力できる。またスイッチ４６ａは第１巻真２２に連動するスイッチであり、第１巻真２２の１段目でＲＡ１端子と閉じ、２段目でＲＡ２端子と閉じ、通常位置では開くように構成されている。また、スイッチ５９ａは第２巻真２３に連動するスイッチであり、第２巻真２３の１段目でＲＢ１端子と閉じ、２段目でＲＢ２端子と閉じ、通常位置では開くように構成されている。
　第１７図は本実施例の多機能電子時計の完成体の外観図である。第１７図及び第１８図〜第２２図のフローチャートをもとに、本実施例の仕様及び操作方法について簡単に説明する。
　第１７図に於いて、４０は外装ケース、４１は文字板である。また文字板上において４２は通常秒時刻表示部、４３はクロノグラフ分表示及びタイマー経過時間秒表示部、４４はアラーム設定時刻表示部である。
　まず、通常時刻であるが、前述した様に毎秒運針する小秒針１４、分針１１、時針１２により表示される。時刻合わせは第１巻真２２を２段目に引き出すことにより可能となる。この時、第１０図に示したおしどり４５、かんぬき４６に係合する規正レバー４７により四番車６が規正され、ロータ４が停止し、小秒針の運針が停止する。この状態で第１巻真２２を回転させれば、つづみ車４８、小鉄車５０を通して日の裏車９に回転力が伝わる。ここで、二番歯車８ａは一定のすべりトルクを有して二番かな８ｂと結合されているため、四番車６が規正されていても小鉄車５０、日の裏車９、二番かな８ｂ、筒車１０は回転する。従って分針１、及び時針１２は回転し、任意の時刻に設定することができる。
　第１８図に通常時刻を表示するためのフローチャートを示す。第１８図に示される様に、１Ｈｚインタラプトが入力すると、スイッチＲＡ２がオフしている否かを読み込みＲＡ２がオフしている場合には、モータ運針方式制御回路２１９にステップモータＡの正転補正駆動をセットし、モータクロック制御回路Ａ２２６に運針数１をセットする。スイッチＲＡ２がオン（時刻修正状態）の場合にはモータ駆動を停止し、ＲＡ２がオフされた時点で１秒後にモータが駆動されるように分周回路２０８及び２０９を瞬時リセットする。
　第１９図にクロノグラフ機能のフローチャートを示す。尚、第２５図中で用いている“ＣＧ”はクロノグラフの略語である。また“ＣＧスタート”はクロノグラフ計測中かつスプリット表示解除状態を表わす。第２巻真２３が通常位置にある時（ＲＢ１とＲＢ２がともにオフの時）はクロノグラフモードとなり、Ａスイッチが入力するたびにクロノグラフ計測のスタートとストップを繰り返す。クロノグラフ計測が開始されると、ＣＧインタラプトによりデータメモリ２０４の一部に形成されるＣＧ１／５秒カウンタが＋１され、１／５ＣＧ秒２１が１／５秒刻みで運針されるとともに、１／５秒カウンタが１分をカウントすると、やはりデータメモリ２０４の一部に形成されるＣＧ分カウンタが＋１され分ＣＧ針３１が１分刻みで運針される。また、“ＣＧスタート”時にＢスイッチが入力するとスプリット表示状態となり、スプリット表示状態でＢスイッチが入力すると“ＣＧスタート”となり、１／５秒ＣＧ針２１と分ＣＧ針３１は計測時間を表示するまで早送りされる。またクロノグラフ計測停止状態でＢスイッチが入力すると、クロノグラフ計測がリセットされ各ＣＧ針はθ位置を表示するまで早送りされる。尚、早送り運針の方法について、第２２図のフローチャートに示す。
　第２０図にタイマー機能のフローチャートを示す。タイマー設定時間は１／５秒ＣＧ針２１により表示される。第２巻真２３が１段目にある時（ＲＢ１がオンの時）にはタイマーモードとなり、タイマーセット状態時にＢスイッチが入力するとタイマーセット時間が１分増加し、１／５秒ＣＧ針２１が１分単位（５ステップ）ずつ運針する。この１／５秒ＣＧ針２１が示す文字盤４１上の目盛がタイマー設定時間を示し、最大６０分までの設定が可能である。タイマーのスタートストップはＡスイッチ２４で行う。タイマー動作がスタートすると、分ＣＧ針３１が反時計方向に１秒毎、１／５秒ＣＧ針２１が反時計方向に１分毎運針し、タイマー経過時間を表示する。また、タイマー１分セット時及び最終１分時は、分ＣＧ針３１は停止し、１／５秒ＣＧ針２１が１秒毎の減算を行ない、最終の３秒前から予告音が鳴鐘し、０秒に達した時にタイムアップ音が鳴鐘し、タイマー動作を終了する。
　第２１図にアラーム機能のフローチャートを示す。アラーム設定時刻は文字盤上の４４部に表示される。第２巻真２３を１段目にした状態でＣスイッチ２６を押すごとにＡＬ分針３８、ＡＬ時針３９が１分単位で運針し、最大１２時間のアラーム時刻設定ができる。この時Ｃスイッチ２６を押し続けるとＡＬ分針３８及びＡＬ時針３９は加速的に連続自走し、短時間でのアラーム時刻設定が可能となる。設定されたアラーム時刻と通常時刻ガ一致するとアラーム音が鳴鐘する。また、第２巻真２３が０段目にある場合、アラーム及び前述のタイマー共に非動作モードとなり、ＡＬ分針３８及びＡＬ時針３９は通常時刻を表示する。なお、この通常時刻の修正は、第２巻真を２段目の状態で回転することにより、第１０図に示したＡＬつづみ車４９、ＡＬ小鉄車５１を介して行なわれる。
　第２２図に各モータの運針方法のフローチャートを示す。第２２図（ａ）は運針数が１４発以下の場合のモータの運針方法であり、第２２図（ｂ）及び（ｃ）は１５発以上の早送り（１２８Ｈｚ）の運針方法である。尚、図中に用いられている“モータパルスレジスタ”は第９図のレジスタ２２６１のことである。
　本発明はＣＰＵを作動させるソフトウエア内容としてクロノグラフを中心に説明したが、第２７図に示すような、世界各都市の時刻を示すワールドタイムの使用も可能である。ホームタイムを示す分針７０、時針７１、小秒針７２、ワールドタイムを示すワールドタイム分針７４、時針７５、都市名を示す都市選択針７３で構成されている。都市選択針７３は前述のクロノグラフ機能時の１／５秒ＣＧ表示と同一の構成をとっており、一周の分割数は３００ステップになっている。都市名表示は、基本時刻を示す３０°分割の１２ヶ所７９と各表示部の中間１２ヶ所８０で行う。このように、３００分割を２４分割に表示できるよう、ステップモータＢを構成するロータ１６を駆動する。７８は基本時計の表示をする分針７０、時針７１を修正するりゅうずである。
　次に操作方法を述べる。りゅうず７８を小秒針７２が０位置に達した時に２段引き出し停止させる。りゅうずを回転させ現在時刻にホームタイム分針時針を合わせる。次にボタン７６、７７により都市選択針７３をホームタイムを合わせた都市名に合わせる。例えば東京（ＴＯＫＹＯ）とする。この時、都市選択針７３の修正方向はボタン７６で時計方向、ボタン７７で反時計方向に回転する。合わせた状態でりゅうず７８を１段目に引き出しボタン７６、７７によりワールドタイム時刻を合わせる。ボタン７６、７７の１プッシュで分針７４が１分進むよう構成されている。又、押し続けで自走する電子修正方式である。更にボタン７６による時計方向、ボタン７７により反時計方向に修正される。
　以上で実施例の説明を終わる。
〔発明の効果〕
　以上、実施例により詳細に述べた様に、本発明によれば、プログラムメモリに格納されるソフトウエアしだいで、様々な仕様のアナログ電子時計ＩＣ及びアナログ電子時計が可能になる。また、ソウトウエアの開発期間は、同機能を実現するランダムロジックＩＣの開発期間の１／２〜１／３ですみＩＣの開発期間を大幅に短縮化できる。
　また、開発途中で仕様変更や機能追加等が起こったとしてもソフトウエアの変更で容易に対応できる。ことに本発明は、運針用の複数のステップモータを有し、そのステップモータの各々を各駆動制御信号により駆動するいわば多機能駆動を容易に実現するものである。この場合、本発明は特に、コアＣＰＣによりソフトウエアの指令に基づいて複数のステップモータそれぞれ特有の駆動制御信号をモータ運針制御回路からモータドライバー回路に出力するようにしている。その複数のステップモータそれぞれ特有の駆動制御信号は、例えば各ステップモータの運針パルス数の制御であったり、運針基準用クロックの周波数の選択であったり、各ステップモータの駆動パルス波形の選択であるが、複数のステップモータの各々に要求されている駆動制御の形態は、全体としては極めて複雑で多様である。本発明においては、コアＣＰＵ、ソフトウエアを格納するプログラムメモリ、モータ運針制御回路、モータドライバー回路を用いることによって、この複雑で多様な複数のステップモータの駆動制御を可能とした。本発明は、前述のモータ運針制御回路が、複数の各ステップモータに要求される各々の運針制御信号を作り出す機能部を構成し、前述のソフトウエアが司令部となって、その前記モータ運針制御回路を働かせ、各ステップモータの各々の駆動制御信号を作り出すものである。従って、複数のステップモータを有し、各ステップモータに要求される各々の駆動制御を確実に容易に実現することができるものである。しかも複数のステップモータ全体を一括して制御するので、最適な駆動制御を実現することができ、また、ステップモータの消費電力を低減することでモーブメントの小型、薄型化が可能となり、多様化する消費者ニーズを満足するアナログ電子時計用ＩＣ及びアナログ電子時計を短期間で提供することが可能になる。加えて、本発明は、コアＣＵＰ、ソフトウエアを格納するプログラムメモリのいわば司令部と、複数のステップモータの各々の駆動制御信号を作り出すモータ運針制御回路のいわば機能部とを分けて構成しているので、前述の司令部と機能部とが一体化されたコアＣＰＵとプログラムメモリとを構成した場合に考えられるようにコアＣＰＵとプログラムメモリ全体のソフトが重くなってランニングデュティーが大きく動作が遅くなるということがなく、早い動作が可能で素早いステップモータの制御が実現される。
【図面の簡単な説明】
第１図は本発明のアナログ電子時計用ＩＣの一実施例を示すブロック図。
第２図は第１図のクロノグラフ回路２１１の具体的構成例を示すブロック図。
第３図は第１図のモータ運針制御回路２１２の具体的構成例を示すブロック図。
第４図は第１図の運針基準信号形成回路２２０の具体的構成例を示す図。
第５図、第６図、第７図、第８図はそれぞれ第１図の第１駆動パルス形成回路２２１、第２駆動パルス形成回路２２２、第３駆動パルス形成回路２２３、第４駆動パルス形成回路２２４から出力されるモータ駆動パルスＰａ、Ｐｂ、Ｐｃ、Ｐｄのタイミングチャート。
第９図は第１図のモータクロック制御回路２２６、２２７、２２８、及び２２９の具体的構成例を示すブロック図。
第１０図は本発明のアナログ電子時計の一実施例を示す平面図。
第１１図は通常時刻時分表示用輪例の断面図。
第１２図は通常時刻秒表示用輪列の断面図。
第１３図はクロノグラフ秒表示用輪列の断面図。
第１４図はクロノグラフ分表示及びタイマー秒表示用輪列の断面図。
第１５図はアラーム設定時刻表示用輪列の断面図。
第１６図は第１０図の実施例の回路結線図。
第１７図は本実施例の多機能電子時計の完成体の外観図。
第１８図（ａ），（ｂ）は通常時刻を表示するためのフローチャート。
第１９図（ａ），（ｂ）はクロノグラフ機能のフローチャート。
第２０図（ａ），（ｂ）はタイマー機能のフローチャート。
第２１図（ａ）〜（ｃ）はアラーム機能のフローチャート。
第２２図（ａ）〜（ｃ）はモータの運針方法のフローチャート。
第２３図（ａ），（ｂ）は早送り駆動パルスのタイミングチャート。
第２４図は通常時刻表示用輪列とステップモータの概略平面図。
第２５図はクロノグラフ秒表示用輪列とステップモータの概略平面図。
第２６図はアラーム設定時刻表示用輪列とステップモータの概略平面図。
第２７図は本発明の実施例の時計の平面図。
　　　２……電池
　　　３……ステップモータＡ
　　　４……ロータ
　　　５……五番車
　　　６……四番車
　　　７……三番車
　　　８……二番車
　　　９……日の裏車
　　１０……筒車
　　１５……ステップモータＢ
　　１６……ロータ
　　１７……１／５秒ＣＧ第一中間車
　　１８……１／５秒ＣＧ第二中間車
　　１９……１／５秒ＣＧ車
　　２０……ＣＭＯＳ−ＩＣ
　　２７……ステップモータＣ
　　２８……ロータ
　　２９……分ＣＧ中間車
　　３０……分ＣＧ車
　　３２……ステップモータＤ
　　３３……ロータ
　　３４……ＡＬ中間車
　　３５……ＡＬ分車
　　３６……ＡＬ日の裏車
　　３７……ＡＬ筒車
　　６５……秒かな押えバネ
　２０１……コアＣＰＵ
　２０２……プログラムメモリ
　２０４……データメモリ
　２１１……クロノグラフ回路
　２１２……モータ運針制御回路
　２１３〜２１６……モータドライバ
　２１７……入力制御及びリセット信号形成回路
　２１８……インタラプト制御回路
　２１９……モータ運針方式制御回路
　２２０……運針基準信号形成回路
　２２１〜２２５……モータ駆動パルス形成回路
　２２６〜２２９……モータクロック制御回路
　２３０〜２３３……トリガー形成回路
　２３４〜２３７……モータ駆動パルス選択回路